(57)【要約】      （修正有）【課題】水中で使用された電子機器からハウジングをいちいち開くことなく、データの送受信を可能にした電子機器用ハウジングの提供。 【解決手段】内部に電子機器を着脱自在に収納し得る水密構造の、電子機器用ハウジング部材と、ハウジング内に装填された電子機器に格納されているデータを外部から読み書き可能とする為に、ハウジング部材の一部に無線通信用アンテナを設ける。更に、他の機器との間で無線通信を行う無線通信インターフェースを備え、商用電源に一時側整流平滑回路を介して電磁トランスの給電用コイルと、電磁トランスの受電用コイルに整流ダイオードと平滑コンデンサで構成する二次側整流平滑回路を介してバッテリーを接続して充電を行う非接触充電器を備える。【選択図】図３
2006078560.tif 000002
【特許請求の範囲】
【請求項１】
内部に電子機器を着脱自在に収納し得る水密構造の、ハウジング部材において、前記ハウジング内に装填された電子機器内に格納されているデータを外部から読み書き可能とする為に、前記ハウジング部材の一部に、電波を送受信するアンテナが設けられていることを特徴とする電子機器用水中ハウジング。
【請求項２】
前記ハウジングは、無線通信インターフェースを備えたことを特徴とする、請求項１記載の電子機器用水中ハウジング。
【請求項３】
前記ハウジングは、給電側と受電側とにそれぞれ設けた２組のコイル間の相互誘導作用によって電力の授受を行う、非接触給電装置を具備したことを特徴とする、請求項１記載の電子機器用水中ハウジング。
【請求項４】
前記ハウジングに設けられたアンテナを、回転若しくは伸縮させることで、電波を送受信するモードに入ることを特徴とする請求項１記載の電子機器用水中ハウジング。
【発明の詳細な説明】
【技術分野】
【０００１】
本発明は、デジタルカメラ（電子スチルカメラ）用水中ハウジングに、データを送受信するための無線インターフェースを具備した電子機器用水中ハウジングに関する。
【背景技術】
【０００２】
従来より、フィルムカメラ（銀塩カメラ）で水中を撮影する際には、アクリル樹脂等で構成されている水中ハウジングを使用している。従来の水中カメラでは、フィルムを必須としているため、潜水直前にフィルムを装填し、全コマの撮影を終了した場合、水から上がってフィルムを取り出す作業を繰り返すのが一般的である。
【０００３】
近年、デジタルカメラが急速に普及を始めており、電子機器用水中ハウジングを取り付けての水中撮影も行われるようになって来ている。
【０００４】
前記、電子機器用水中ハウジングには、ハウジング内に装填された電子機器内に格納されているデータを外部から読出し可能とするために、ハウジング部材の少なくともいずかにデータ取り出し手段を設け、また、電子機器のデータ出力部からデータ取り出し手段にデータを転送するためのデータ転送手段を施したものがある（例えば、特許文献１参照）。
【０００５】
以下、特許文献１の図４により従来の、電子機器用水中ハウジングについて説明する。
【０００６】
電子機器用水中ハウジング内に装填された電子機器内に格納されているデータを外部から読出し可能とするために、前記ハウジング部材の一部に設けられたデータ取り出し手段と、前記ハウジング内に装填された電子機器のデータ出力部から、データ取り出し手段にデータを転送するための転送手段とからなることを特徴としている。
【０００７】
前記、データ取り出し手段は、専用のデータ通信コネクタを介して、データ処理用コンピュータに接続される構成である。また、データ転送手段は、電子機器のデータを光信号する構成である。
【０００８】
また、水中ハウジング内に装填された電子機器は、バッテリーで駆動させている。
【特許文献１】特開平１１−１０９４７２号公報（第９項、図４）
【特許文献２】特開平１０−１５５１００号公報
【発明の開示】
【発明が解決しようとする課題】
【０００９】
フィルムカメラの場合、一般的なフィルムでは、２７枚撮りや３６枚撮りを使用し、撮影終了後水から上がってハウジングを開き、フィルムを交換しなければならなかった。水中撮影後にハウジングを開く場合、ハウジング外周の水を入念に拭き取らなければならない。ハウジング外周に付着した水が、ハウジング内に落下する恐れがある為である。
【００１０】
ハウジング内に、水滴が落下した場合、電子機器であるデジタルカメラは、最悪、故障する可能性があり、修理を必要とする場合がある。
【００１１】
前記、特許文献１においては、ハウジングとパソコンとはデータケーブルにより接続されており、データ転送するための設定などにおいて、取り回しが面倒であった。また、データケーブルを介してパソコンからデジタルカメラに電源供給すれば、ハウジングを開けて電池交換する必要が無いとの記載については、給電回路についての詳細は省略してあり、電池の充電については、記載されていない。
【００１２】
従来、被充電側である電子機器と充電する側の充電器とは、金属接点による電気的接触で給電するスタイルが一般的であるが、水中カメラの充電を考えた場合、金属接点が露出しているために、水分の付着による電源ショートの可能性があった。
【００１３】
本発明の目的は、水中で使用された電子機器からハウジングをいちいち開くことなく、データの送受信を可能にした電子機器用水中ハウジングを提供することにある。
【００１４】
また、ハウジング内に設けられた受電回路により、デジタルカメラ側の電池残量を気にすることなく、データの送受信を可能とすることが出来るものである。
【課題を解決するための手段】
【００１５】
請求項１記載の発明は、内部に電子機器を着脱自在に収納し得る水密構造の、電子機器用ハウジング部材と、ハウジング内に装填された電子機器に格納されているデータを外部から読み書き可能とする為に、ハウジング部材の一部に無線通信用アンテナが設けられていることを特徴とする。
【００１６】
請求項２記載の発明は、請求項１記載の電子機器用ハウジングにおいて、他の機器との間で無線通信を行う無線通信インターフェースを備えたことを特徴とする。
【００１７】
請求項３記載の発明は、請求項１記載の電子機器用ハウジングにおいて、商用電源に一時側整流平滑回路を介して電磁トランスの給電用コイルと、電磁トランスの受電用コイルに整流ダイオードと平滑コンデンサで構成する二次側整流平滑回路を介してバッテリーを接続して充電を行う非接触充電器を備えたことを特徴とする。
【発明の効果】
【００１８】
本発明によれば、電子機器を水中ハウジングに入れたまま、データの読み書きが可能であり、これにより、水中ハウジングを開閉する際に水滴が落下して電子機器を破損することを防止できる。また、水中ハウジング内の電子機器に内蔵又は装填された記憶手段と、他の機器との間でデータ無線通信を行う、無線インターフェースとアンテナを備えることで、従来のケーブル接続にない取り回し易い利点がある。
【００１９】
また、非接触充電とすることにより、水中カメラハウジングの水濡れでも、従来の切片式充電では不可能であった電池充電が可能となり、水中ハウジング内の電子機器の電池残量を気にしないで、データの送受信が可能となる。
【発明を実施するための最良の形態】
【００２０】
以下、本発明の好適な実施形態について、図面を参照しながら詳細に説明する。
【実施例】
【００２１】
図１は、水中ハウジング１０１に装填されているデジタルカメラからパソコン１０２に、画像データを転送している概略図である。１０３は、電波を送受信するためのアンテナ、１０４は、パソコン側の電波送受信装置である。ここでの電波とは、携帯機器間を無指向で無線接続することができる無線通信規格（例えば、Ｂｌｕｅｔｏｏｙｈ，ＨｏｍｅＲＦなど）であり、これらの、無線免許不要な２．４ＧＨｚ帯を利用してデータの送受信を行うものである。上記、規格以外にも周波数を問わず、電子機器間の電波による無線通信技術を利用しても構わない。
【００２２】
図２は、本発明の第１の実施形態に係わる水中ハウジングの構成を示すブロック図である。
【００２３】
２０１は光学レンズ、２０２は撮像素子であるＣＣＤ、２０３は信号処理部、２０４は記憶部、２０５は無線インターフェース、２０６はアンテナ、２０７は表示部であるＬＣＤ、２０８は全体制御部、２０９は操作部、２１０は非接触充電器受電部である。２１１は水中ハウジング部であり、２１２は前記水中ハウジングに装填されているデジタルカメラ部を表している。
【００２４】
次に撮像、データ転送に関して説明する。
【００２５】
撮像対象である被写体の像は、光学レンズ２０１を通して撮像素子であるＣＣＤ２０２の面上に光学像を結ぶ。結像された光学像は、ＣＣＤ２０２により光電変換され電気信号に変換される。ＣＣＤ２０２の出力である撮像信号は、信号処理部２０３により信号処理されて画像信号となり表示モニターであるＬＣＤ２０７に表示される。また、操作部２０９のシャッター操作により、その時に撮像された画像の画像信号が信号処理部２０３により圧縮され記憶部２０４に記憶される。
【００２６】
この記憶部２０４としてはデジタルカメラ内部に固定されたメモリを用いる場合と、ＣＦカードなどの着脱式のメモリを使用する場合がある。いずれにしても、記憶できる画像の枚数は、１枚でなく複数枚の画像が記憶できるメモリである。この記憶部２０４に撮像画像を順次記憶して行く訳であるが、物理的なメモリである以上、記憶できる画像の枚数は有限である。このため撮像を繰り返すうちに記憶部の記憶容量を使いきってしまうと撮像を続けることが出来なくなってしまう。
【００２７】
このように撮像不能状態になる前に、無線インターフェース２０５、アンテナ２０６を介してリモートホストにアクセスして記憶部２０４に記憶されている画像データの転送を行う。
【００２８】
記憶部２０４に記憶されている画像データなどを無線インターフェース２０５，アンテナ２０６を介してリモートホストに転送した後には、転送済みのデータを消去し、記憶部２０４に新たな撮像画像を記憶できるスペースを作る。非接触充電器２１０により、水中ハウジング２１１に装填されているデジタルカメラ２１２内のバッテリー残量を気にすることなく、データ通信が行える。
【００２９】
図３は、本発明の充電に関する形態図である。
【００３０】
３０１は電子機器用水中ハウジング、３０２は水中ハウジング上からカメラのレリーズ釦を押下するためのレリーズ釦、３０３は電波を送受信するためのアンテナで、必要に応じて出し入れ自在なものである。３０４は無線インターフェースユニット、３０５は二組のコイル間の相互誘導作用によって電力の行う非接触充電器の受電側ユニットで、３０６は受電側コイルに発生した電圧により流れる高周波電流を整流するものである。３０７は非接触充電器の給電側ユニットで、３０８給電側コイルに、高周波電流を流して磁束３１０を発生させるものである。３０９は高周波発振手段に供給する直流電流を生成する整流回路である。
【００３１】
非接触充電器とすることにより、金属接点方式に比べ、金属接点の酸化やごみ、油などによる接点不良がなくなり、水に濡れた水中ハウジングの水滴をふき取ることなく充電できる防水性がある。
【００３２】
図４は、上記のように構成された水中ハウジングと非接触充電器の動作を説明するためのフローチャートである。
【００３３】
まず、最初に水中ハウジング１０１に装填されているデジタルカメラが無線通信ＭＯＤＥか否かチェックし（Ｓ４０１）、もし無線通信ＭＯＤＥでなければ、通常カメラＭＯＤＥ（Ｓ４１０）へ進む。無線通信ＭＯＤＥであれば、ＬＣＤ２０７へ無線通信中であることを表示する。次に、無線通信中の電源オフがないように、非接触充電器に接続されているか確認し（Ｓ４０３）、非接触充電器に未接続の場合、デジタルカメラ内のデータ転送に充分な電力があるかバッテリーチェックを行う（Ｓ４０４）。ここでバッテリーチェックＮＧの場合には、一連の動作を終了する。バッテリーチェックＯＫの場合には、非接触充電器接続時と同じく無線インターフェース２０５を介してリモートホストであるパソコン１０２にアクセスし、データ転送を開始する（Ｓ４０５）。データ転送が終了したか否かを判断し（Ｓ４０６）、データ転送が終了した場合、水中ハウジング内に装填されているデジタルカメラの記憶媒体内データを削除するか否か判断する（Ｓ４０７）。記憶媒体内データを削除しない場合には、ＬＣＤ２０７に表示や不図示のＬＥＤ，赤目ランプなどを点灯や点滅させ警告を行う（Ｓ４０８）。デジタルカメラの記憶媒体内データが削除されると、無線通信ＭＯＤＥを終了し（Ｓ４０９）、通常カメラＭＯＤＥに戻る（Ｓ４１０）。
【００３４】
図５において、非接触充電器について説明する。非接触充電器はＡＣ１００Ｖの商用電源に接続される充電部５１３と、この充電部に適宜セットされる被充電部５１４とで構成される。ＡＣ１００Ｖの商用電源に接続する為のコンセント５０１と、過電流保護用にヒューズ５０２を設けてある。充電部５１３は商用電源の交流を直流に変換する整流回路５０３及び平滑用電解コンデンサ５０４で構成される一次整流平滑回路、平滑用電解コンデンサ５０４の直流出力端に接続される電磁トランス５０５の一次側供給用コイル５０６により構成される。
【００３５】
また、被充電部５１４は、電磁トランス５０５の二次側コイル５０７、共振用コンデンサ５０８と、整流ダイオード５０９と、平滑用電解コンデンサ５１０と、定電流にするための充電制御回路を介してニッケル水素などの二次電池５１２に接続された構成となっている。
【００３６】
本実施例においては、ＡＣ１００Ｖの商用電源からの非接触充電器について記載したが、バッテリーからの非接触充電器であっても構わない。
【００３７】
図６において、６０１は水中ハウジング１０１に装填された電波を送受信するためのアンテナを収納した図を表している。
【００３８】
６０２は、無線通信ＭＯＤＥでの使用状態を表した図であり、本実施例では、電波を送受信するアンテナを回転させる事により、電波状態の良い角度に設定可能である。また、アンテナを回転させることで、自動的に無線通信ＭＯＤＥへ入ることを特徴とするものである。
【００３９】
アンテナを装置内部に埋め込んでしまった場合には、受信利得を得られないことが多い。本実施例のように、電波を送受信するためのアンテナを回転させ、適切な位置にすることにより、水平及び垂直偏波ともに規定利得以上の受信感度が得られるものである。しかも、非使用時、移動時にアンテナが収納されることによりアンテナの破損を防ぐことのできる携帯性にすぐれた水中ハウジングを提供することができる。
【００４０】
また、本実施例では、アンテナを回転させたが、図１記載のアンテナ１０３のように、アンテナは伸縮式にし、無線ＭＯＤＥで使用する場合にのみ引き出して使用しても構わない。
【図面の簡単な説明】
【００４１】
【図１】本発明の第１の実施形態に係わる水中ハウジングとパソコンとの通信を表した概略構成図である。
【図２】本発明の第１の実施形態に係わる構成を示すブロック図である。
【図３】水中ハウジングと非接触充電器を表した概略構成図である。
【図４】本発明の第１の実施形態の動作を示すフローチャートである。
【図５】非接触充電器の回路ブロック図である。
【図６】電波を送受信するためのアンテナの状態を表した図である。
【符号の説明】
【００４２】
１０１  水中ハウジング
１０３  電波を送受信するためのアンテナ
２０５  無線インターフェース
３０５  非接触充電器受電側ユニット
３０７  非接触充電器給電側ユニット
【図１】
2006078560.tif 000003
【図２】
2006078560.tif 000004
【図３】
2006078560.tif 000005
【図４】
2006078560.tif 000006
【図５】
2006078560.tif 000007
【図６】
2006078560.tif 000008